(57)【要約】【課題】多種多様なリュックサックを、メーカーにおいては低廉に供給できるようにし、小売店においては最小の在庫数をもって提示できるようにすること、および、エンドユーザーが自己のニーズに合わせてそれにふさわしいリュックサックを適切に購入・選択・使用できるようにする。【解決手段】袋内部を収納空間１０とした袋状をなすザック本体１と、表面２２に一対のショルダーベルト２０、２０を備えると共に、裏面をザック本体１の背面への接続面２１とした背板状体２とを有している。ザック本体１の背面１１を巡る縁部のうち、少なくとも、その上縁部および左右縁部に亘って、雌雄をなすスライドファスナーを構成する一方ファスナー４１が設けられており、かつ、背板状体２の接続面２１に、この雌雄をなすスライドファスナーを構成する他方ファスナー４２が設けられている。【選択図】図２
2005342168.tif 000002
【特許請求の範囲】
【請求項１】
袋内部を収納空間とした袋状をなすザック本体と、
表面に一対のショルダーベルトを備えると共に、裏面をザック本体の背面への接続面とした背板状体とを有しており、
ザック本体の背面を巡る縁部のうち、少なくとも、その上縁部および左右縁部に亘って、雌雄をなすスライドファスナーを構成する一方ファスナーが設けられており、
かつ、背板状体の接続面に、この雌雄をなすスライドファスナーを構成する他方ファスナーが設けられていることを特徴とするリュックサック。
【請求項２】
背板状体の左右両側部にそれぞれ設けられた第一テープと、
ザック本体の左右両側面にそれぞれ設けられると共に、対応する第一テープに対しバックルを介して接続される第二テープとによって、
リュックサックの両側部にそれぞれ補助接続テープが設けられるようになっており、
しかも、この補助接続テープの長さが調整可能となっていることを特徴とする請求項１記載のリュックサック。
【発明の詳細な説明】
【技術分野】
【０００１】
この発明はリュックサックの改良に関する。
【背景技術】
【０００２】
現在、リュックサックは、登山などのスポーツ用途にとどまらず、タウン用として、老若男女の分け隔てなく、最も手軽で機能的な袋物として広く利用されるに至っている。
【０００３】
こうしたことから、現在、多種多様なリュックサックが流通されるに至っている。このため、メーカーにおいては、画一化されたリュックサックを低廉に供給し難くなっている。また、小売店においては、多種類の在庫を抱えざるを得なくなっている。他方、エンドユーザーにおいては、用途に応じて複数種類のリュックサックを所持せざるを得なくなっていると共に、小売店に多種類のリュックサックが展示されていてもそれには限度があるところであり、真に自己のニーズに適合したリュックサックを購入しがたい場合も少なくないところである。
【発明の開示】
【発明が解決しようとする課題】
【０００４】
この発明が解決しようとする主たる問題点は、大きさやデザインなどを異ならせる多種多様なリュックサックを、メーカーにおいては低廉に供給できるようにし、小売店においては最小の在庫数をもって提示できるようにすること、および、エンドユーザーが自己のニーズに合わせてそれにふさわしいリュックサックを適切に購入・選択・使用できるようにする点にある。
【課題を解決するための手段】
【０００５】
前記問題点を解決するために、この発明にあっては、リュックサックが以下の（１）〜（４）の構成を備えたものとした。
（１）袋内部を収納空間とした袋状をなすザック本体と、
（２）表面に一対のショルダーベルトを備えると共に、裏面をザック本体の背面への接続面とした背板状体とを有しており、
（３）ザック本体の背面を巡る縁部のうち、少なくとも、その上縁部および左右縁部に亘って、雌雄をなすスライドファスナーを構成する一方ファスナーが設けられており、
（４）かつ、背板状体の接続面に、この雌雄をなすスライドファスナーを構成する他方ファスナーが設けられている。
【０００６】
かかる構成によれば、単一の背板状体に対し大きさやデザインなどを異ならせる種々のザック本体を前記スライドファスナーによって備え付けさせることにより、大きさやデザインなどを異ならせるリュックサックを容易かつ適切に構成させることができ、ひいては、多様なリュックサックを低廉に供給させることができる。
【０００７】
また、リュックサックの購入時には、リュックサックの購入者は、自己の身体や嗜好や用途などに合わせて、背板状体とザック本体とを様々なバリエーションで組み合わせての選択をなすことができ、また、かかるリュックサックの販売者においては、数種の背板状体と数種のザック本体とを在庫として有するだけで、多種類のリュックサックの在庫を有する場合と同じ商品ラインナップを揃えることができる。
【０００８】
また、リュックサックの使用者において、複数種類の前記ザック本体を保有していれば、背板状体に組み合わさせるザック本体を必要に応じて選択して、その使用をなすようにすることができる。
【０００９】
さらには、背板部とザック本体とを分離した状態で、洗濯や保管などをなすことができ、リュックサックのメンテナンスや取り扱いが容易となる。
【００１０】
前記背板状体の左右両側部にそれぞれ設けられた第一テープと、
ザック本体の左右両側面にそれぞれ設けられると共に、対応する第一テープに対しバックルを介して接続される第二テープとによって、
リュックサックの両側部にそれぞれ補助接続テープが設けられるようになっており、
しかも、この補助接続テープの長さが調整可能となっているようにしておくこともある。
【００１１】
かかる構成によれば、補助接続テープによって背板状体とザック本体との前記スライドファスナーによる接続状態を補強することができ、また、これにより、ザック本体の大きさをこのザック本体内への収納物の収納量に合わせるようにすることができる。
【発明の効果】
【００１２】
この発明によれば、単一の背板状体に対し大きさやデザインなどを異ならせる種々のザック本体を前記スライドファスナーによって備え付けさせることにより、大きさやデザインなどを異ならせるリュックサックを容易かつ適切に構成させることができ、ひいては、多様なリュックサックを低廉に供給させることができる。
【発明を実施するための最良の形態】
【００１３】
以下、図１ないし図４に基づいて、この発明を実施するための最良の形態について説明する。
【００１４】
なお、ここで図１および図２は、実施の形態にかかるリュックサックを構成するザック本体１と背板状体２とを分離させた状態で、また、図３は、ザック本体１の開放部１６を開放させた状態として、また、図４は、断面の状態として、それぞれ示している。
【００１５】
この実施の形態にかかるリュックサックは、ザック本体１と背板状体２とを有している。
【００１６】
ザック本体１は、袋内部を収納空間１０とした袋状をなすように構成されている。図示の例では、かかるザック本体１は、巾広の背面１１ならびに前面１２を有すると共に、この背面１１を巡る縁部と前面１２を巡る縁部との間に互いにつながり合った上面１３、側面１４および底面１５を有している。そして、かかるザック本体１は、その一側面１４と上面１３と他側面１４に亘って設けられたスライドファスナー１７によって開放可能に閉じ合わされた開放部１６を通じて、袋内部に物品などを入れ込み収納できるように構成されている。
【００１７】
一方、背板状体２は、表面に一対のショルダーベルト２０、２０を備えると共に、裏面をザック本体１の背面１１への接続面２１としている。図示の例では、かかる背板状体２は、ザック本体１の背面１１の輪郭形状に倣ったこの背面１１とほぼ同じ大きさの板状をなすように構成されている。かかる背板状体２は、典型的には、クッション材の表面を表生地によって覆ったり、プラスチック板などの芯材にクッション材などを重ね合わせた状態でこれらを表生地によって覆うことにより構成することができる。
【００１８】
図示の例にあっては、一対のショルダーベルト２０、２０はそれぞれ、上端を背板状体２の表面２２の上部に止着させたパッド部２０１と、このパッド部２０１の下端にテープ上端を止着されると共にテープ下端を背板状体２の表面の下部に止着させた下部引き出しテープ２０２とから構成されている。かかる下部引き出しテープ２０２はパッド部２０１に備え付けられたバックル２０３に通されて留め付け位置調整可能にかかるパッド部２０１に接続されている。
【００１９】
また、図示の例では、かかる背板状体２の表面２２側に、その下縁と側縁との接し合う左右隅部間に亘るようにウエストベルト２３が備え付けられていると共に、一対のショルダーベルト２０、２０のパッド部２０１間には、チェストストラップ２４が備えられている。
【００２０】
そして、この実施の形態にあっては、かかるザック本体１の背面１１を巡る縁部のうち、少なくとも、その上縁部および左右縁部に亘って、雌雄をなすスライドファスナー４を構成する一方ファスナー４１が設けられており、
かつ、背板状体２の接続面２１に、この雌雄をなすスライドファスナー４を構成する他方ファスナー４２が設けられている。
【００２１】
具体的には、図示の例にあっては、ザック本体１の背面１１を巡る縁部のうちその下縁部を除く縁部に亘って前記一方ファスナー４１が設けられている。また、背板状体２の接続面２１を巡る縁部のうちその下縁部を除く縁部に亘って前記他方ファスナー４２が設けられている。そして、図示の例にあっては、ザック本体１の一方ファスナー４１にスライダー４０が設けられており、この一方ファスナー４１の一端に位置されたスライダー４０に背板状体２の他方ファスナー４２の一端をはめ込ませた後、このスライダー４０を走行させることにより、かかる一方ファスナー４１と他方ファスナー４２とが噛み合わされ、これにより、ザック本体１の背面１１を巡る縁部のうちその下縁部を除く縁部と背板状体２の接続面２１を巡る縁部のうちその下縁部を除く縁部とがつなぎ合わされるようになっている。かかる一方ファスナー４１がさらにザック本体１の背面１１の下縁部にも亘るように設けると共に、他方ファスナー４２がさらに背板状体２の接続面２１の下縁部にも亘るように設けておけば、このザック本体１と背板状体２とをリュックサックの下部側においても分離可能に接続させ合わせることができる。
【００２２】
これにより、この実施の形態にあっては、単一の背板状体２に対し大きさやデザインなどを異ならせる種々のザック本体１を前記スライドファスナーによって備え付けさせることにより、大きさやデザインなどを異ならせるリュックサックを容易かつ適切に構成させることができ、ひいては、多様なリュックサックを低廉に供給させることができる。
【００２３】
また、リュックサックの購入時には、リュックサックの購入者は、自己の身体や嗜好や用途などに合わせて、背板状体２とザック本体１とを様々なバリエーションで組み合わせての選択をなすことができ、また、かかるリュックサックの販売者においては、数種の背板状体２と数種のザック本体１とを在庫として有するだけで、多種類のリュックサックの在庫を有する場合と同じ商品ラインナップを揃えることができる。
【００２４】
また、リュックサックの使用者において、複数種類の前記ザック本体１を保有していれば、背板状体２に組み合わさせるザック本体１を必要に応じて選択して、その使用をなすようにすることができる。
【００２５】
さらには、背板部とザック本体１とを分離した状態で、洗濯や保管などをなすことができ、リュックサックのメンテナンスや取り扱いが容易となる。
【００２６】
また、この実施の形態にあっては、前記背板状体２の左右両側部にそれぞれ設けられた第一テープ５３と、
ザック本体１の左右両側面にそれぞれ設けられると共に、対応する第一テープ５３に対しバックルを介して接続される第二テープ５０とによって、
リュックサックの両側部にそれぞれ補助接続テープ５が設けられるようになっており、
しかも、この補助接続テープ５の長さが調整可能となっている。
【００２７】
具体的には、図示の例にあっては、背板状体２の表面２２側において、左右縁部の中程にそれぞれ、第一テープ５３の一端が止着されていると共に、この第一テープ５３の他端にサイドリリースバックルを構成する雌バックル５４が取り付けられている。また、ザック本体１の左右側面１４、１４において、この側面１４の上下方向ほぼ中程の位置にそれぞれ、第二テープ５０の一端が止着されていると共に、この第二テープ５０の他端側がサイドリリースバックルを構成する雄バックル５１のテープ通し部５２に長さ調整可能に挿通留め付けられている。そして、図示の例では、かかる雌バックル５４に雄バックル５１を入れ込み掛合させた状態から雄バックル５１のテープ通し部５２に通されて引き出された第二テープ５０の引き出し部分を引っ張り操作することにより、補助接続テープ５によって背板状体２とザック本体１との前記スライドファスナーによる接続状態を補強することができるようになっている。また、これにより、ザック本体１の大きさをこのザック本体１内への収納物の収納量に合わせるようにすることができる。
【００２８】
なお、図示の例にあっては、背板状体２の接続面２１の下部に左右方向に長く続く雌雄をなす面状ファスナーの一方２５が設けられていると共に、ザック本体１の背面の下部左右方向に長く続く雌雄をなす面状ファスナーの他方１８が設けられており、両面状ファスナー１８、２５の係着によって背板状体２の下部とザック本体１の下部とが一体化されるようになっている。
【００２９】
図示の例とは異なり、背板状体２の接続面２１内に、上下方向に長く延びる雌雄をなす面状ファスナーの一方を設け、かつ、ザック本体１の背面内に、これに対応する雌雄をなす面状ファスナーの他方を設けるようにしておけば、背板状体２の接続面２１とザック本体１の背面とを全体として密着させるようにした状態で、この両者を分離可能に接続させ合わせることができる。
【図面の簡単な説明】
【００３０】
【図１】リュックサックの分離斜視図
【図２】リュックサックの分離斜視図
【図３】リユックサックの斜視図
【図４】リュックサックの断面構成図
【符号の説明】
【００３１】
１  ザック本体
１１  背面
２  背板状体
２０  ショルダーベルト
２１  接続面
２２  表面
４  スライドファスナー
４１  一方ファスナー
４２  他方ファスナー
【図１】
2005342168.tif 000003
【図２】
2005342168.tif 000004
【図３】
2005342168.tif 000005
【図４】
2005342168.tif 000006
【手続補正書】
【提出日】平成16年11月2日(2004.11.2)
【手続補正１】
【補正対象書類名】特許請求の範囲
【補正対象項目名】全文
【補正方法】変更
【補正の内容】
【特許請求の範囲】
【請求項１】
袋内部を収納空間とした袋状をなすザック本体と、
表面に一対のショルダーベルトを備えると共に、裏面をザック本体の背面への接続面とした背板状体とを有しており、
ザック本体の背面を巡る縁部のうち、少なくとも、その上縁部および左右縁部に亘って、雌雄をなすスライドファスナーを構成する一方ファスナーが設けられており、
かつ、背板状体の接続面に、この雌雄をなすスライドファスナーを構成する他方ファスナーが設けられているリュックサックであって、
前記背板状体の左右両側部にそれぞれ設けられた第一テープと、
前記ザック本体の左右両側面にそれぞれ設けられると共に、対応する第一テープに対しバックルを介して接続される第二テープとによって、
前記リュックサックの両側部にそれぞれ補助接続テープが設けられるようになっており、
しかも、この補助接続テープの長さが調整可能となっていることを特徴とするリュックサック。
【手続補正２】
【補正対象書類名】明細書
【補正対象項目名】全文
【補正方法】変更
【補正の内容】
【発明の詳細な説明】
【技術分野】
【０００１】
この発明はリュックサックの改良に関する。
【背景技術】
【０００２】
現在、リュックサックは、登山などのスポーツ用途にとどまらず、タウン用として、老若男女の分け隔てなく、最も手軽で機能的な袋物として広く利用されるに至っている。
【０００３】
こうしたことから、現在、多種多様なリュックサックが流通されるに至っている。このため、メーカーにおいては、画一化されたリュックサックを低廉に供給し難くなっている。また、小売店においては、多種類の在庫を抱えざるを得なくなっている。他方、エンドユーザーにおいては、用途に応じて複数種類のリュックサックを所持せざるを得なくなっていると共に、小売店に多種類のリュックサックが展示されていてもそれには限度があるところであり、真に自己のニーズに適合したリュックサックを購入しがたい場合も少なくないところである。
【発明の開示】
【発明が解決しようとする課題】
【０００４】
この発明が解決しようとする主たる問題点は、大きさやデザインなどを異ならせる多種多様なリュックサックを、メーカーにおいては低廉に供給できるようにし、小売店においては最小の在庫数をもって提示できるようにすること、および、エンドユーザーが自己のニーズに合わせてそれにふさわしいリュックサックを適切に購入・選択・使用できるようにする点にある。
【課題を解決するための手段】
【０００５】
前記問題点を解決するために、この発明にあっては、リュックサックが以下の（１）〜（６）の構成を備えたものとした。
（１）袋内部を収納空間とした袋状をなすザック本体と、
（２）表面に一対のショルダーベルトを備えると共に、裏面をザック本体の背面への接続面とした背板状体とを有しており、
（３）ザック本体の背面を巡る縁部のうち、少なくとも、その上縁部および左右縁部に亘って、雌雄をなすスライドファスナーを構成する一方ファスナーが設けられており、
（４）かつ、背板状体の接続面に、この雌雄をなすスライドファスナーを構成する他方ファスナーが設けられている。
（５）そして、前記背板状体の左右両側部にそれぞれ設けられた第一テープと、
前記ザック本体の左右両側面にそれぞれ設けられると共に、対応する第一テープに対しバックルを介して接続される第二テープとによって、
前記リュックサックの両側部にそれぞれ補助接続テープが設けられるようになっており、
（６）しかも、この補助接続テープの長さが調整可能となっている。
【０００６】
かかる構成によれば、単一の背板状体に対し大きさやデザインなどを異ならせる種々のザック本体を前記スライドファスナーによって備え付けさせることにより、大きさやデザインなどを異ならせるリュックサックを容易かつ適切に構成させることができ、ひいては、多様なリュックサックを低廉に供給させることができる。
【０００７】
また、リュックサックの購入時には、リュックサックの購入者は、自己の身体や嗜好や用途などに合わせて、背板状体とザック本体とを様々なバリエーションで組み合わせての選択をなすことができ、また、かかるリュックサックの販売者においては、数種の背板状体と数種のザック本体とを在庫として有するだけで、多種類のリュックサックの在庫を有する場合と同じ商品ラインナップを揃えることができる。
【０００８】
また、リュックサックの使用者において、複数種類の前記ザック本体を保有していれば、背板状体に組み合わさせるザック本体を必要に応じて選択して、その使用をなすようにすることができる。
【０００９】
さらには、背板部とザック本体とを分離した状態で、洗濯や保管などをなすことができ、リュックサックのメンテナンスや取り扱いが容易となる。
【００１０】
さらにまた、補助接続テープによって背板状体とザック本体との前記スライドファスナーによる接続状態を補強することができ、また、これにより、ザック本体の大きさをこのザック本体内への収納物の収納量に合わせるようにすることができる。
【発明の効果】
【００１１】
この発明によれば、単一の背板状体に対し大きさやデザインなどを異ならせる種々のザック本体を前記スライドファスナーによって備え付けさせることにより、大きさやデザインなどを異ならせるリュックサックを容易かつ適切に構成させることができ、ひいては、多様なリュックサックを低廉に供給させることができる。
【発明を実施するための最良の形態】
【００１２】
以下、図１ないし図４に基づいて、この発明を実施するための最良の形態について説明する。
【００１３】
なお、ここで図１および図２は、実施の形態にかかるリュックサックを構成するザック本体１と背板状体２とを分離させた状態で、また、図３は、ザック本体１の開放部１６を開放させた状態として、また、図４は、断面の状態として、それぞれ示している。
【００１４】
この実施の形態にかかるリュックサックは、ザック本体１と背板状体２とを有している。
【００１５】
ザック本体１は、袋内部を収納空間１０とした袋状をなすように構成されている。図示の例では、かかるザック本体１は、巾広の背面１１ならびに前面１２を有すると共に、この背面１１を巡る縁部と前面１２を巡る縁部との間に互いにつながり合った上面１３、側面１４および底面１５を有している。そして、かかるザック本体１は、その一側面１４と上面１３と他側面１４に亘って設けられたスライドファスナー１７によって開放可能に閉じ合わされた開放部１６を通じて、袋内部に物品などを入れ込み収納できるように構成されている。
【００１６】
一方、背板状体２は、表面に一対のショルダーベルト２０、２０を備えると共に、裏面をザック本体１の背面１１への接続面２１としている。図示の例では、かかる背板状体２は、ザック本体１の背面１１の輪郭形状に倣ったこの背面１１とほぼ同じ大きさの板状をなすように構成されている。かかる背板状体２は、典型的には、クッション材の表面を表生地によって覆ったり、プラスチック板などの芯材にクッション材などを重ね合わせた状態でこれらを表生地によって覆うことにより構成することができる。
【００１７】
図示の例にあっては、一対のショルダーベルト２０、２０はそれぞれ、上端を背板状体２の表面２２の上部に止着させたパッド部２０１と、このパッド部２０１の下端にテープ上端を止着されると共にテープ下端を背板状体２の表面の下部に止着させた下部引き出しテープ２０２とから構成されている。かかる下部引き出しテープ２０２はパッド部２０１に備え付けられたバックル２０３に通されて留め付け位置調整可能にかかるパッド部２０１に接続されている。
【００１８】
また、図示の例では、かかる背板状体２の表面２２側に、その下縁と側縁との接し合う左右隅部間に亘るようにウエストベルト２３が備え付けられていると共に、一対のショルダーベルト２０、２０のパッド部２０１間には、チェストストラップ２４が備えられている。
【００１９】
そして、この実施の形態にあっては、かかるザック本体１の背面１１を巡る縁部のうち、少なくとも、その上縁部および左右縁部に亘って、雌雄をなすスライドファスナー４を構成する一方ファスナー４１が設けられており、
かつ、背板状体２の接続面２１に、この雌雄をなすスライドファスナー４を構成する他方ファスナー４２が設けられている。
【００２０】
具体的には、図示の例にあっては、ザック本体１の背面１１を巡る縁部のうちその下縁部を除く縁部に亘って前記一方ファスナー４１が設けられている。また、背板状体２の接続面２１を巡る縁部のうちその下縁部を除く縁部に亘って前記他方ファスナー４２が設けられている。そして、図示の例にあっては、ザック本体１の一方ファスナー４１にスライダー４０が設けられており、この一方ファスナー４１の一端に位置されたスライダー４０に背板状体２の他方ファスナー４２の一端をはめ込ませた後、このスライダー４０を走行させることにより、かかる一方ファスナー４１と他方ファスナー４２とが噛み合わされ、これにより、ザック本体１の背面１１を巡る縁部のうちその下縁部を除く縁部と背板状体２の接続面２１を巡る縁部のうちその下縁部を除く縁部とがつなぎ合わされるようになっている。かかる一方ファスナー４１がさらにザック本体１の背面１１の下縁部にも亘るように設けると共に、他方ファスナー４２がさらに背板状体２の接続面２１の下縁部にも亘るように設けておけば、このザック本体１と背板状体２とをリュックサックの下部側においても分離可能に接続させ合わせることができる。
【００２１】
これにより、この実施の形態にあっては、単一の背板状体２に対し大きさやデザインなどを異ならせる種々のザック本体１を前記スライドファスナーによって備え付けさせることにより、大きさやデザインなどを異ならせるリュックサックを容易かつ適切に構成させることができ、ひいては、多様なリュックサックを低廉に供給させることができる。
【００２２】
また、リュックサックの購入時には、リュックサックの購入者は、自己の身体や嗜好や用途などに合わせて、背板状体２とザック本体１とを様々なバリエーションで組み合わせての選択をなすことができ、また、かかるリュックサックの販売者においては、数種の背板状体２と数種のザック本体１とを在庫として有するだけで、多種類のリュックサックの在庫を有する場合と同じ商品ラインナップを揃えることができる。
【００２３】
また、リュックサックの使用者において、複数種類の前記ザック本体１を保有していれば、背板状体２に組み合わさせるザック本体１を必要に応じて選択して、その使用をなすようにすることができる。
【００２４】
さらには、背板部とザック本体１とを分離した状態で、洗濯や保管などをなすことができ、リュックサックのメンテナンスや取り扱いが容易となる。
【００２５】
また、この実施の形態にあっては、前記背板状体２の左右両側部にそれぞれ設けられた第一テープ５３と、
ザック本体１の左右両側面にそれぞれ設けられると共に、対応する第一テープ５３に対しバックルを介して接続される第二テープ５０とによって、
リュックサックの両側部にそれぞれ補助接続テープ５が設けられるようになっており、  しかも、この補助接続テープ５の長さが調整可能となっている。
【００２６】
具体的には、図示の例にあっては、背板状体２の表面２２側において、左右縁部の中程にそれぞれ、第一テープ５３の一端が止着されていると共に、この第一テープ５３の他端にサイドリリースバックルを構成する雌バックル５４が取り付けられている。また、ザック本体１の左右側面１４、１４において、この側面１４の上下方向ほぼ中程の位置にそれぞれ、第二テープ５０の一端が止着されていると共に、この第二テープ５０の他端側がサイドリリースバックルを構成する雄バックル５１のテープ通し部５２に長さ調整可能に挿通留め付けられている。そして、図示の例では、かかる雌バックル５４に雄バックル５１を入れ込み掛合させた状態から雄バックル５１のテープ通し部５２に通されて引き出された第二テープ５０の引き出し部分を引っ張り操作することにより、補助接続テープ５によって背板状体２とザック本体１との前記スライドファスナーによる接続状態を補強することができるようになっている。また、これにより、ザック本体１の大きさをこのザック本体１内への収納物の収納量に合わせるようにすることができる。
【００２７】
なお、図示の例にあっては、背板状体２の接続面２１の下部に左右方向に長く続く雌雄をなす面状ファスナーの一方２５が設けられていると共に、ザック本体１の背面の下部左右方向に長く続く雌雄をなす面状ファスナーの他方１８が設けられており、両面状ファスナー１８、２５の係着によって背板状体２の下部とザック本体１の下部とが一体化されるようになっている。
【００２８】
図示の例とは異なり、背板状体２の接続面２１内に、上下方向に長く延びる雌雄をなす面状ファスナーの一方を設け、かつ、ザック本体１の背面内に、これに対応する雌雄をなす面状ファスナーの他方を設けるようにしておけば、背板状体２の接続面２１とザック本体１の背面とを全体として密着させるようにした状態で、この両者を分離可能に接続させ合わせることができる。
【図面の簡単な説明】
【００２９】
【図１】リュックサックの分離斜視図
【図２】リュックサックの分離斜視図
【図３】リユックサックの斜視図
【図４】リュックサックの断面構成図
【符号の説明】
【００３０】
１  ザック本体
１１  背面
２  背板状体
２０  ショルダーベルト
２１  接続面
２２  表面
４  スライドファスナー
４１  一方ファスナー
４２  他方ファスナー